(57)【要約】      （修正有）【課題】安定してシャーシを回動させることが可能なディスク装置を提供する。【解決手段】ブルーレイディスク装置１００(ディスク装置)は、引出方向および収納方向に移動され、ブルーレイディスクＢＤが載置されるディスクトレイ１と、ブルーレイディスクＢＤを回転させるためのターンテーブル２１と光ピックアップ２２とを含み、ディスクトレイ１のブルーレイディスクＢＤが載置される側とは反対側に配置されるシャーシ２と、シャーシ２をディスクトレイ１側およびディスクトレイ１とは反対側に回動させるアーム部材３とを備え、シャーシ２は、ディスクトレイ１の引出方向および収納方向と平行な回動軸を中心として回動するように構成される。【選択図】図１
2015141728.tif 000002
【特許請求の範囲】
【請求項１】
引出方向である第１方向および収納方向である前記第１方向とは逆方向の第２方向に移動され、ディスクが載置されるディスクトレイと、
前記ディスクを回転させるためのターンテーブルと前記第１方向および前記第２方向に移動可能な光ピックアップとを含み、前記ディスクトレイの前記ディスクが載置される側とは反対側に配置されるシャーシと、
前記シャーシを前記ディスクトレイ側および前記ディスクトレイとは反対側に回動させる回動機構とを備え、
前記シャーシは、前記ディスクトレイの前記第１方向および前記第２方向と平行な回動軸を中心として回動するように構成されている、ディスク装置。
【請求項２】
前記シャーシは、前記第１方向および前記第２方向が長手方向となり、前記第１方向および前記第２方向に直交する幅方向が短手方向となるように形成されている、請求項１に記載のディスク装置。
【請求項３】
前記ディスクトレイを移動させるモータをさらに備え、
前記シャーシは、前記シャーシの回動の中心となる前記回動軸の近傍に前記モータが配置されるように構成されている、請求項１または２に記載のディスク装置。
【請求項４】
前記回動機構は、カム溝を有するとともに、前記ディスクトレイとともに移動するカム部と、前記カム溝に挿入され、前記カム溝に沿って移動することにより、前記ディスクトレイの前記第１方向および前記第２方向と平行な前記回動軸を中心として前記シャーシを回動させるカム係合部とを含む、請求項１〜３のいずれか１項に記載のディスク装置。
【請求項５】
前記シャーシおよび収納状態の前記ディスクトレイを覆う筐体をさらに備え、
前記カム部は、前記ディスクトレイが引出状態にある場合に、前記筐体の内部側に配置されるように構成されている、請求項４に記載のディスク装置。
【請求項６】
前記シャーシおよび収納状態の前記ディスクトレイを覆う筐体をさらに備え、
前記回動機構は、前記筐体に設けられるとともに、鉛直方向に延びるガイド溝と、前記ガイド溝に挿入され、前記ガイド溝に沿って移動することにより前記シャーシの回動をガイドするガイド係合部とをさらに含む、請求項４または５に記載のディスク装置。
【請求項７】
前記カム係合部および前記ガイド係合部は、それぞれ、第１カム係合部および第１ガイド係合部からなり、
前記シャーシは、前記第１方向および前記第２方向に直交する幅方向における一方端部の近傍に前記回動軸が配置され、
前記回動機構は、前記第１カム係合部および前記第１ガイド係合部を有するとともに、前記筐体に回動可能に支持されるとともに、前記シャーシの幅方向における他方端部の近傍を回動可能に支持するアーム部材をさらに含む、請求項６に記載のディスク装置。
【請求項８】
前記アーム部材は、前記シャーシの幅方向における中間位置近傍の前記回動軸に平行な支持軸において前記筐体に支持されるように構成されている、請求項７に記載のディスク装置。
【請求項９】
前記カム係合部および前記ガイド係合部は、それぞれ、第２カム係合部および第２ガイド係合部からなり、
前記シャーシは、前記第１方向および前記第２方向に直交する幅方向における一方端部の近傍に前記回動軸が配置されるとともに、他方端部に前記第２カム係合部および前記第２ガイド係合部を有している、請求項６に記載のディスク装置。
【発明の詳細な説明】
【技術分野】
【０００１】
この発明は、ディスク装置に関し、特に、ディスクを回転させるためのターンテーブルを含むシャーシを備えたディスク装置に関する。
【背景技術】
【０００２】
従来、ディスクを回転させるためのターンテーブルを含むシャーシを備えたディスク装置が知られている（たとえば、特許文献１参照）。
【０００３】
上記特許文献１には、ディスクが載置されるローディングトレイと、ディスクを回転させるターンテーブルとローディングトレイの引出方向および収納方向に移動可能な光ピックアップとを含むトラバース系（シャーシ）と、トラバース系をローディングトレイ側およびローディングトレイとは反対側に回動させる幅方向（ローディングトレイの引出方向および収納方向と直交する横方向）の一方端部近傍に設けられた回動機構とを備えたディスク装置が開示されている。このディスク装置のトラバース系は、ローディングトレイの引出方向および収納方向（ローディングトレイの長手方向）に直交する横方向（幅方向（短手方向））に延びる回動軸を中心として回動するように構成されている。また、このディスク装置のトラバース系は、ローディングトレイの引出方向と平行な長辺とローディングトレイの引出方向と直交する横方向に延びる短辺とを有する長方形形状に形成されているとともに、長辺の一方端に設けられた回動軸を中心として回動するように構成されている。
【先行技術文献】
【特許文献】
【０００４】
【特許文献１】特開平７−２１６５１号公報
【発明の概要】
【発明が解決しようとする課題】
【０００５】
しかしながら、上記特許文献１に記載のディスク装置では、トラバース系（シャーシ）の中央部に光ピックアップが配置され、光ピックアップに対してローディングトレイの引出方向および収納方向と直交する横方向（幅方向（短手方向））の一方側にトラバース系を回動させる機構が配置されるので、トラバース系の横方向（幅方向）の重量のバランスが悪くなる。このため、ローディングトレイの引出方向および収納方向に直交する横方向（幅方向）に延びる回動軸を中心として、横方向（幅方向）のいずれか一方に配置されたトラバース系の回動機構により、トラバース系を安定して回動させることができないという問題点があると考えられる。また、上記特許文献１のトラバース系では、トラバース系の長手方向の一方端に設けられた回動軸を中心として回動されるので、回動半径が大きくなり、その結果、回動させるために必要な回転モーメントが大きくなるという不都合がある。この不都合によっても、安定してシャーシを回動させることが困難である。
【０００６】
この発明は、上記のような課題を解決するためになされたものであり、この発明の１つの目的は、安定してシャーシを回動させることが可能な表示装置を提供することである。
【課題を解決するための手段】
【０００７】
この発明の一の局面によるディスク装置は、引出方向である第１方向および収納方向である第１方向とは逆方向の第２方向に移動され、ディスクが載置されるディスクトレイと、ディスクを回転させるためのターンテーブルと前記第１方向および前記第２方向に移動可能な光ピックアップとを含み、ディスクトレイのディスクが載置される側とは反対側に配置されるシャーシと、シャーシをディスクトレイ側およびディスクトレイとは反対側に回動させる回動機構とを備え、シャーシは、ディスクトレイの第１方向および第２方向と平行な回動軸を中心として回動するように構成されている。
【０００８】
この発明の一の局面によるディスク装置では、上記のように、シャーシをディスクトレイの第１方向（引出方向）および第２方向（収納方向）と平行な回動軸を中心として回動するように構成することによって、シャーシの横方向（幅方向）の重量のバランスが異なる場合でも、横方向（幅方向）に直交する第１方向および第２方向と平行な回動軸を中心としてシャーシを回動させるので、安定してシャーシを回動させることができる。また、シャーシは、通常、ディスクトレイの引出方向（第１方向）に長辺を有するので、このような構造に本発明を適用した場合、シャーシの長辺に平行に設けられた回動軸を中心にシャーシの短辺が回動される構成になる。この場合には、回動半径を小さくすることができるので、その分、回転モーメントを小さくすることができ、それによっても、安定してシャーシを回動させることができる。
【０００９】
上記一の局面によるディスク装置において、好ましくは、シャーシは、第１方向および第２方向が長手方向となり、第１方向および第２方向に直交する幅方向が短手方向となるように形成されている。このように構成すれば、シャーシの第１方向および第２方向を短手方向、幅方向を長手方向とした場合に比べて、シャーシを回動させる際のモーメントを小さくすることができるので、確実に安定してシャーシを回動させることができる。
【００１０】
上記一の局面によるディスク装置において、好ましくは、ディスクトレイを移動させるモータをさらに備え、シャーシは、シャーシの回動の中心となる回動軸の近傍にモータが配置されるように構成されている。このように構成すれば、モータの質量による回転モーメントを小さくすることができるので、その分、シャーシを回動させる際のモーメントをより小さくすることができる。
【００１１】
上記一の局面によるディスク装置において、好ましくは、回動機構は、カム溝を有するとともに、ディスクトレイとともに移動するカム部と、カム溝に挿入され、カム溝に沿って移動することにより、ディスクトレイの第１方向および第２方向と平行な回動軸を中心としてシャーシを回動させるカム係合部とを含む。このように構成すれば、カム係合部およびカム溝により、より一層安定してシャーシを回動させることができる。
【００１２】
この場合、好ましくは、シャーシおよび収納状態のディスクトレイを覆う筐体をさらに備え、カム部は、ディスクトレイが引出状態にある場合に、筐体の内部側に配置されるように構成されている。このように構成すれば、引出状態でカム部が外部に露出しないので、カム部により引出状態におけるディスク装置の外観が損なわれることを防止することができるとともに、カム部の破損やカム部への異物の付着を抑制することができる。
【００１３】
上記回転機構がカム部とカム係合部とを含む構成において、好ましくは、シャーシおよび収納状態のディスクトレイを覆う筐体をさらに備え、回動機構は、筐体に設けられるとともに、鉛直方向に延びるガイド溝と、ガイド溝に挿入され、ガイド溝に沿って移動することによりシャーシの回動をガイドするガイド係合部とをさらに含む。このように構成すれば、カム係合部およびカム溝によるシャーシの鉛直方向への回動が、ガイド溝およびガイド係合部によりガイド（補助）されるので、カム係合部およびカム溝によるシャーシの回動をより安定させることができる。
【００１４】
上記回転機構がガイド係合部を含む構成において、好ましくは、カム係合部およびガイド係合部は、それぞれ、第１カム係合部および第１ガイド係合部からなり、シャーシは、第１方向および第２方向に直交する幅方向における一方端部の近傍に回動軸が配置され、回動機構は、第１カム係合部および第１ガイド係合部を有するとともに、筐体に回動可能に支持されるとともに、シャーシの幅方向における他方端部の近傍を回動可能に支持するアーム部材をさらに含む。このように構成すれば、第１カム係合部および第１ガイド係合部を有するアーム部材によりシャーシが回動されるので、アーム部材の回動半径をシャーシの回動半径よりも小さくすることにより、小さな力（回転モーメント）でシャーシを回動させることができる。
【００１５】
上記回転機構がアーム部材を含む構成において、好ましくは、アーム部材は、シャーシの幅方向における中間位置近傍の回動軸に平行な支持軸において筐体に支持されるように構成されている。このように構成すれば、シャーシの回動軸とシャーシにモーメントが加えられる作用点との間の支持軸Ｂでアーム部材が筐体に支持されるので、その分、アーム部材の回動半径（回転モーメント）が小さくなり、その結果、より小さな力でシャーシを回動させることができる。
【００１６】
上記回転機構がガイド係合部を含む構成において、好ましくは、カム係合部およびガイド係合部は、それぞれ、第２カム係合部および第２ガイド係合部からなり、シャーシは、第１方向および第２方向に直交する幅方向における一方端部の近傍に回動軸が配置されるとともに、他方端部に第２カム係合部および第２ガイド係合部を有している。このように構成すれば、シャーシが第２カム係合部および第２ガイド係合部を有しているので、簡易な構成で安定してシャーシを回動させることができる。
【発明の効果】
【００１７】
本発明によれば、上記のように、安定してシャーシを回動させることが可能なディスク装置を提供することができる。
【図面の簡単な説明】
【００１８】
【図１】本発明の第１実施形態によるブルーレイディスク装置のディスクトレイが引き出された状態を示した斜視図である。
【図２】本発明の第１実施形態によるブルーレイディスク装置のディスクトレイが収納された状態を示した斜視図である。
【図３】本発明の第１実施形態によるブルーレイディスク装置のディスクトレイが収納された状態のシャーシ、アーム部材および筐体を示した平面図である。
【図４】本発明の第１実施形態によるブルーレイディスク装置のシャーシおよびアーム部材を示した斜視図である。
【図５】本発明の第１実施形態によるブルーレイディスク装置のディスクトレイが収納された状態のシャーシ、アーム部材およびディスクトレイを示した側面図である。
【図６】本発明の第１実施形態によるブルーレイディスク装置のディスクトレイが引き出された状態のシャーシ、アーム部材およびディスクトレイを示した側面図である。
【図７】本発明の第１実施形態によるブルーレイディスク装置のディスクトレイが引き出された状態のシャーシ、アーム部材、ディスクトレイおよび筐体を正面側から見た模式図である。
【図８】本発明の第２実施形態によるＤＶＤ装置のディスクトレイが引き出された状態を示した斜視図である。
【図９】本発明の第２実施形態によるＤＶＤ装置のシャーシを示した斜視図である。
【図１０】本発明の第３実施形態によるＤＶＤ装置のシャーシを示した斜視図である。
【図１１】図１０の４００−４００線に沿った断面図である。
【発明を実施するための形態】
【００１９】
以下、本発明を具体化した実施形態を図面に基づいて説明する。
【００２０】
（第１実施形態）
図１〜図７を参照して、本発明の第１実施形態によるブルーレイディスク装置１００の構成について説明する。なお、ブルーレイディスク装置１００は、本発明の「ディスク装置」の一例である。
【００２１】
図１および図２に示すように、ブルーレイディスク装置１００は、樹脂製のディスクトレイ１と、板金製のシャーシ２と、シャーシ２を回動させるアーム部材３とを備える。また、ブルーレイディスク装置１００は、ディスクトレイ１、シャーシ２およびアーム部材３を保持するとともに、ディスクトレイ１、シャーシ２およびアーム部材３を覆う樹脂製の筐体４を備える。
【００２２】
以下の説明では、ディスクトレイ１が筐体４から引き出される方向を引出方向（Ｙ１方向）とし、ディスクトレイ１が筐体４に収納される方向を収納方向（Ｙ２方向）とする。また、ディスクトレイ１が引出方向側（Ｙ１方向側）にある状態を引出状態（図１参照）とし、ディスクトレイ１が収納方向側（Ｙ２方向側）にある状態を収納状態（図２参照）とする。
【００２３】
図１に示すように、ディスクトレイ１は、上面側（Ｚ１方向側）の凹状に窪んだ部分１０にブルーレイディスクＢＤを載置可能に構成されている。また、ディスクトレイ１は、長手方向（Ｙ方向）に引き出されてディスク脱着位置（Ｙ１方向側に最大限移動された場合の位置、つまり、引出状態の位置）およびディスク再生位置（収納状態の位置）に移動可能に構成されている。また、ディスクトレイ１のブルーレイディスクＢＤが載置される側とは反対側である下面側（Ｚ２方向側）には、板金製のシャーシ２が配置されている。なお、ブルーレイディスクＢＤは、本発明の「ディスク」の一例である。
【００２４】
図１〜図４に示すように、シャーシ２の中央部には、ディスクトレイ１に載置されたブルーレイディスクＢＤ（図１参照）の中央部に設けられた穴部ＢＤ１（図１参照）に嵌り込んでブルーレイディスクＢＤを回転させるためのターンテーブル２１が取り付けられている。また、シャーシ２には、ブルーレイディスクＢＤに光を照射してブルーレイディスクＢＤに記録されたデータを読み取るための光ピックアップ２２が取り付けられている。光ピックアップ２２は、引出方向（Ｙ１方向）および収納方向（Ｙ２方向）に延びる２本のガイドレール２３に沿ってＹ方向に移動可能に構成されている。
【００２５】
また、シャーシ２は、回動の中心となる回動軸Ａ（図３および図４参照）の近傍に、光ピックアップ２２をガイドレール２３に沿って移動させるためのモータ２４が配置されるように構成されている。具体的には、モータ２４は、回動軸Ａの軸線上に配置されるように構成されている。
【００２６】
また、シャーシ２は、図３に示すように、平面的に見て（Ｚ１方向側から見て）略矩形形状の外周部を有する。また、シャーシ２は、引出方向（Ｙ１方向）および収納方向（Ｙ２方向側）が長手方向となり、引出方向（Ｙ１方向）および収納方向（Ｙ２方向側）に直交する幅方向（Ｘ方向）が短手方向となるように形成されている。
【００２７】
ここで、第１実施形態では、シャーシ２は、ディスクトレイ１の引出方向（Ｙ１方向）および収納方向（Ｙ２方向側）と平行な回動軸Ａ（図３および図４参照）を中心として回動するように構成されている。具体的には、シャーシ２は、図１および図３に示すように、幅方向の一方の辺（Ｘ１方向側の長辺）の両端部近傍において、ネジ部材９０を介して筐体４に固定（ネジ止め）されている。これにより、シャーシ２は、図１および図２に示すように、筐体４にネジ止めされた側の近傍（Ｘ１方向側の長辺の近傍）の回動軸Ａを中心としてディスクトレイ１側（Ｚ１方向側）およびディスクトレイ１とは反対側（Ｚ２方向側）に回動するように構成されている。なお、ネジ部材９０の取り付け部分には、ブルーレイディスクＢＤ再生時の振動を吸収するための図示しない制振材が設置されている。
【００２８】
また、シャーシ２は、図５および図６に示すように、ディスクトレイ１の移動（引出方向（Ｙ１方向）への移動および収納方向（Ｙ２方向）への移動）に連動して回動するように構成されている。具体的には、シャーシ２は、ディスクトレイ１が収納状態にある場合に、図２および図５に示すように、ディスクトレイ１側（Ｚ１方向側）に配置され、ディスクトレイ１が引出状態にある場合に、図１および図６に示すように、ディスクトレイ１とは反対側（Ｚ２方向側）に配置されるように回動するように構成されている。
【００２９】
また、シャーシ２は、図４に示すように、幅方向の他方の辺（Ｘ２方向側の短辺）の両端部近傍において、ネジ部材９１を介してアーム部材３に固定（ネジ止め）されている。これにより、図１、図３および図４に示すように、シャーシ２は、アーム部材３により、回動軸Ａ（図３および図４参照）を中心としてディスクトレイ１側（Ｚ１方向側）およびディスクトレイ１とは反対側（Ｚ２方向側）に回動されるように構成されている。なお、ネジ部材９１の取り付け部分には、ブルーレイディスクＢＤ再生時の振動を吸収するための図示しない制振材が設置されている。
【００３０】
ディスクトレイ１は、図１、図２、図５および図６に示すように、カム溝１１を有し、ディスクトレイ１とともに移動するカム部１２を含んでいる。具体的には、ディスクトレイ１は、一方の幅方向側（Ｘ２方向側）端部かつ収納方向側（Ｙ２方向側）から鉛直方向に延びる板状のカム部１２を一体的に有している。このカム部１２は、収納方向側（Ｙ２方向側）の端部から引出方向（Ｙ１方向）に延びる第１カム溝部１１ａと、第１カム溝部１１ａの引出方向（Ｙ１方向）端部から上方向（Ｚ１方向）に約４５度傾斜して引出方向（Ｙ１方向）に延びる第２カム溝部１１ｂと、第２カム溝部１１ｂの引出方向（Ｙ１方向）端部から引出方向（Ｙ１方向）に延びる第３カム溝部１１ｃとから形成されるカム溝１１を有している。
【００３１】
また、カム部１２は、図１に示すように、ディスクトレイ１が引出状態にある場合に、筐体４の内部側に配置されるように構成されている。すなわち、カム部１２は、ディスクトレイ１が引出状態にある場合に、外部に露出しない位置（カム部１２のＹ１方向側の端部が筺体４のＹ１方向側の外面と面一になる位置）に配置されるように構成されている。
【００３２】
また、筐体４は、図１および図３に示すように、一方の幅方向側（Ｘ２方向側）端部かつ収納方向側（Ｙ２方向側）端部近傍に鉛直方向（Ｚ方向）に延びるガイド溝４１（図５および図６参照）を含むガイド部４２を有している。
【００３３】
アーム部材３は、図１、図３および図４に示すように、筐体４に回動可能に支持されるとともに、幅方向（Ｘ方向）におけるシャーシ２の一方端部（Ｘ１方向側端部）の回動軸Ａ（図３および図４参照）とは異なる他方端部（Ｘ２方向側端部）を回動可能に支持するように構成されている。具体的には、アーム部材３は、図３および図４に示すように、幅方向（Ｘ方向）に延びる一対のアーム部３０と、一対のアーム部３０を連結するＹ方向に延びる連結部３１とを備えている。また、アーム部材３は、シャーシ２の幅方向（Ｘ方向）における中間位置近傍の回動軸Ａに平行な支持軸Ｂ（図３および図４参照）において筐体４に支持されるように構成されている。具体的には、アーム部材３は、一対のアーム部３０の先端近傍で、かつ、支持軸Ｂと同一軸線上の位置にそれぞれ設けられた取付部３０ａにおいて、筐体４に対して回動可能に支持されるように構成されている。また、アーム部材３は、図３に示すように、平面的に見て（Ｚ１方向側から見て）Ｕ字形状の外周部を有する。また、図７に示すように、アーム部材３の一対のアーム部３０の大きさ（長さ）Ｌは、シャーシ２の短手方向（Ｘ方向）の大きさの約半分に設定されている。
【００３４】
また、アーム部材３の連結部３１の収納方向側（Ｙ２方向側）には、ディスクトレイ１のカム部１２のカム溝１１に挿入されて、カム溝１１に沿って移動することにより回動軸Ａを中心としてシャーシ２を回動させるカム係合部３２がＸ２方向に突出するように形成されている。また、カム係合部３２は円柱形状に形成されている。なお、カム係合部３２は、本発明の「第１カム係合部」の一例である。
【００３５】
また、アーム部材３の連結部３１収納方向側（Ｙ２方向側）の端部近傍には、筐体４の鉛直方向（Ｚ方向）に延びるガイド溝４１に挿入されて、ガイド溝４１に沿ってアーム部材３が移動することによりシャーシ２の回動をガイドするガイド係合部３３がＸ２方向に突出するように形成されている。また、ガイド係合部３３は円柱形状に形成されている。なお、ガイド係合部３３は、本発明の「第１ガイド係合部」の一例である。
【００３６】
次に、図１、図２、図５および図６を参照して、ディスクトレイ１の引出方向（Ｙ１方向）への移動に連動するシャーシ２の下方向（Ｚ２方向）への回動について説明する。
【００３７】
まず、図２および図５に示すように、収納状態（シャーシ２がディスクトレイ１側（Ｚ１方向側）に配置された状態）において、アーム部材３のカム係合部３２が第３カム溝部１１ｃの引出方向（Ｙ１方向）の端部近傍に配置されている。
【００３８】
この状態から、ディスクトレイ１が引出方向（Ｙ１方向）に移動されることにより、カム係合部３２が第２カム溝部１１ｂの下側の傾斜面１３に当接しながら、カム係合部３２が下方向（Ｚ２方向）に移動される。このカム係合部３２の下方向（Ｚ２方向）への移動に伴い、アーム部材３が、支持軸Ｂ（図３および図４参照）を中心として回動する。この際、アーム部材３のガイド係合部３３は、筐体４のガイド溝４１に沿って下方向（Ｚ２方向）に移動する。また、シャーシ２は、アーム部材３の回動に伴い、回動軸Ａ（図３および図４参照）を中心としてディスクトレイ１とは反対側（Ｚ２方向側）に回動する。
【００３９】
そして、カム係合部３２が第１カム溝部１１ａに当接する位置まで引き出されると、シャーシ２の回動が停止（完了）する。
【００４０】
さらに、ディスクトレイ１が引出方向（Ｙ１方向）に移動されると、ディスクトレイ１の一対の係止片１４が筐体４の一対の係止凸部４３に係合する（図１参照）ことにより、ディスクトレイ１の引出方向（Ｙ１方向）への移動が規制され、ディスクトレイ１が停止する。以上で、ディスクトレイ１の引き出しが完了する（引出状態となる）。なお、上記の通り、引出状態では筐体４の内部側にディスクトレイ１のカム部１２が配置される。また、ディスクトレイ１の収納は、引き出しの逆の動作により行われる。
【００４１】
第１実施形態では、以下のような効果を得ることができる。
【００４２】
第１実施形態では、上記のように、シャーシ２をディスクトレイ１の引出方向（Ｙ１方向）および収納方向（Ｙ２方向）と平行な回動軸Ａを中心として回動するように構成することによって、シャーシ２の横方向（幅方向、Ｘ方向）の重量のバランスが異なる場合でも、横方向（幅方向、Ｘ方向）に直交する引出方向（Ｙ１方向）および収納方向（Ｙ２方向）と平行な回動軸Ａを中心としてシャーシ２を回動させるので、安定してシャーシ２を回動させることができる。また、シャーシ２は、ディスクトレイ１の引出方向（Ｙ１方向）に長辺を有するので、シャーシ２の長辺に平行に設けられた回動軸Ａを中心にシャーシ２の短辺が回動される構成になる。この結果、回動半径を小さくすることができるので、その分、回転モーメントを小さくすることができ、それによっても、安定してシャーシ２を回動させることができる。
【００４３】
第１実施形態では、上記のように、シャーシ２を、引出方向（Ｙ１方向）および収納方向（Ｙ２方向）が長手方向となり、引出方向（Ｙ１方向）および収納方向（Ｙ２方向）に直交する幅方向（Ｘ方向）が短手方向となるように形成する。これにより、シャーシ２の引出方向（Ｙ１方向）および収納方向（Ｙ２方向）を短手方向、幅方向（Ｘ方向）を長手方向とした場合に比べて、シャーシ２を回動させる際のモーメントを小さくすることができるので、確実に安定してシャーシ２を回動させることができる。
【００４４】
第１実施形態では、上記のように、シャーシ２の回動の中心となる回動軸Ａの近傍にモータ２４を配置する。これにより、モータ２４の質量による回転モーメントを小さくすることができるので、その分、シャーシ２を回動させる際のモーメントをより小さくすることができる。
【００４５】
第１実施形態では、上記のように、カム溝１１を有し、ディスクトレイ１とともに移動するカム部１２と、カム溝１１に挿入され、カム溝１１に沿って移動することにより、ディスクトレイ１の回動軸Ａを中心としてシャーシ２を回動させるカム係合部３２とを設ける。これにより、カム係合部３２およびカム溝１１により、より一層安定してシャーシ２を回動させることができる。
【００４６】
第１実施形態では、上記のように、ディスクトレイ１が引出状態にある場合に、カム部１２が筐体４の内部側に配置されるように構成する。これにより、引出状態でカム部１２が外部に露出しないので、カム部１２により引出状態におけるブルーレイディスク装置１００の外観が損なわれることを防止することができるとともに、カム部１２の破損やカム部１２のカム溝１１への異物の付着を抑制することができる。
【００４７】
第１実施形態では、上記のように、筐体４に鉛直方向（Ｚ方向）に延びるガイド溝４１を設けるとともに、ガイド溝４１に挿入され、ガイド溝４１に沿って移動することによりシャーシ２の回動をガイドするガイド係合部３３をシャーシ２に設ける。これにより、カム係合部３２およびカム溝１１によるシャーシ２の鉛直方向（Ｚ方向）への回動が、ガイド溝４１およびガイド係合部３３によりガイド（補助）されるので、カム係合部３２およびカム溝１１によるシャーシ２の回動をより安定させることができる。
【００４８】
第１実施形態では、上記のように、幅方向（Ｘ１方向）における一方端部の近傍にシャーシ２の回動軸Ａを配置し、カム係合部３２およびガイド係合部３３を有するとともに、筐体４に回動可能に支持され、シャーシ２の幅方向（Ｘ方向）における他方端部の近傍を回動可能に支持するアーム部材３を設ける。これにより、カム係合部３２およびガイド係合部３３を有するアーム部材３によりシャーシ２が回動されるので、アーム部材３の回動半径をシャーシ２の回動半径よりも小さくすることにより、小さな力（回転モーメント）でシャーシ２を回動させることができる。
【００４９】
第１実施形態では、上記のように、アーム部材３を、シャーシ２の幅方向（Ｘ方向）における中間位置近傍の回動軸Ａに平行な支持軸Ｂにおいて筐体４に支持されるように構成する。これにより、シャーシ２の回動軸Ａとシャーシ２にモーメント２が加えられる作用点との間の支持軸Ｂでアーム部材３が筐体４に支持されるので、その分、アーム部材３の回動半径（回転モーメント）が小さくなり、その結果、より小さな力でシャーシ２を回動させることができる。
【００５０】
（第２実施形態）
次に、図８および図９を参照して、第２実施形態のＤＶＤ装置２００について説明する。なお、第１実施形態と同様の構成については、同一の符号を付して説明を省略する。また、ＤＶＤ装置２００は、本発明の「ディスク装置」の一例である。
【００５１】
この第２実施形態では、カム係合部３２を有するアーム部材３を介してシャーシ２が回動する上記第１実施形態とは異なり、ＤＶＤ装置２００がアーム部材を備えておらず、シャーシ２０２がカム係合部２３２を有する例について説明する。なお、カム係合部２３２は、本発明の「第２カム係合部」の一例である。
【００５２】
本発明の第２実施形態によるＤＶＤ装置２００は、図８に示すように、シャーシ２０２と、ディスクトレイ１およびシャーシ２０２を保持するとともに、ディスクトレイ１およびシャーシ２０２を覆う筐体２０４とを備える。
【００５３】
図９に示すように、シャーシ２０２のＸ２方向側の端面には、ディスクトレイ１（図１参照）のカム部１２のカム溝１１に挿入されて、カム溝１１に沿って移動することにより回動軸Ａを中心としてシャーシ２０２を回動させるカム係合部２３２がＸ２方向に突出するように形成されている。
【００５４】
また、図８に示すように、シャーシ２０２のＸ２方向側の端面には、筐体２０４の鉛直方向（Ｚ方向）に延びるガイド溝４１に挿入されて、ガイド溝４１に沿って移動することによりシャーシ２の回動をガイドするガイド係合部２３３（図９参照）がＸ２方向に突出するように形成されている。なお、ガイド係合部２３３は、本発明の「第２ガイド係合部」の一例である。
【００５５】
また、シャーシ２０２の中央部には、ディスクトレイ１に載置されたＤＶＤの中央部に設けられた穴部ＤＶＤ１に嵌り込んでＤＶＤを回転させるためのターンテーブル２２１が取り付けられている。なお、ＤＶＤは、本発明の「ディスク」の一例である。
【００５６】
なお、第２実施形態のその他の構成は、上記第１実施形態と同様である。
【００５７】
第２実施形態では、以下のような効果を得ることができる。
【００５８】
第２実施形態では、上記第１実施形態同様、シャーシ２０２をディスクトレイ１の引出方向（Ｙ１方向）および収納方向（Ｙ２方向）と平行な回動軸Ａを中心として回動するように構成することによって、安定してシャーシ２を回動させることができる。
【００５９】
第２実施形態では、上記のように、引出方向（Ｙ１方向）および収納方向（Ｙ２方向）に直交する幅方向（Ｘ方向）における一方端部の近傍にシャーシ２０２の回動軸Ａを配置し、他方端部にカム係合部２３２およびガイド係合部２３３を設ける。これにより、シャーシ２０２がカム係合部２３２およびガイド係合部２３３を有しているので、簡易な構成で安定してシャーシ２０２を回動させることができる。
【００６０】
なお、第２実施形態のその他の効果は、上記第１実施形態と同様である。
【００６１】
（第３実施形態）
次に、図８、図１０および図１１を参照して、第３実施形態のＤＶＤ装置３００について説明する。なお、第１および第２実施形態と同様の構成については、同一の符号を付して説明を省略する。また、ＤＶＤ装置３００は、本発明の「ディスク装置」の一例である。
【００６２】
この第３実施形態では、上記第２実施形態の構成に加えて、カム係合部２３２およびガイド係合部２３３に、それぞれ、制振材３６０が取り付けられて、キャップ３６１により覆われる例について説明する。
【００６３】
本発明の第３実施形態によるＤＶＤ装置３００（図８参照）は、図１０に示すように、カム係合部２３２およびガイド係合部２３３に取り付けられる制振材３６０（図１１参照）と、制振材３６０が取り付けられたカム係合部２３２およびガイド係合部２３３を覆うキャップ３６１とを備えている。
【００６４】
制振材３６０は、ゴム材料により孔部を有するリング状に形成されており（図１１参照）、円柱形状のカム係合部２３２およびガイド係合部２３３が孔部に通されて取り付けられるように構成されている。これにより、制振材３６０は、カム係合部２３２およびガイド係合部２３３の上下方向（Ｚ方向）への振動を抑制することが可能なように構成されている。
【００６５】
キャップ３６１は、制振材３６０が取り付けられたカム係合部２３２およびガイド係合部２３３を覆う状態で、シャーシ２０２のＸ２方向側の端面に接着により取り付けられるように構成されている。
【００６６】
これにより、ＤＶＤ装置３００は、制振材３６０およびキャップ３６１を介してカム係合部２３２およびガイド係合部２３３が、それぞれ、ディスクトレイ１（図８参照）のカム溝１１および筐体２０４のガイド溝４１に係合するので、第２実施形態のＤＶＤ装置２００と比べて、ＤＶＤ再生時における振動をより抑制することが可能なように構成されている。
【００６７】
なお、第３実施形態のその他の構成は、上記第１実施形態と同様である。
【００６８】
第３実施形態では、以下のような効果を得ることができる。
【００６９】
第３実施形態では、上記第２実施形態同様、シャーシ２０２をディスクトレイ１の引出方向（Ｙ１方向）および収納方向（Ｙ２方向）と平行な回動軸Ａを中心として回動するように構成することによって、安定してシャーシ２を回動させることができる。
【００７０】
なお、第３実施形態のその他の効果は、上記第２実施形態と同様である。
【００７１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７２】
たとえば、上記第１〜第３実施形態では、シャーシをカム部とカム係合部を用いて機械的に回動させる例について示したが、本発明はこれに限られない。本発明では、たとえば、電気的に駆動する装置（たとえば、ソレノイド）を用いてシャーシを回動させてもよい。
【００７３】
また、上記第１実施形態では、アーム部材がシャーシの幅方向における中間位置近傍の回動軸に平行な支持軸において筐体に支持される例について示したが、本発明はこれに限られない。本発明では、たとえば、アーム部材が中間位置近傍から離間した位置の回動軸に平行な支持軸において筐体に支持されてもよい。
【００７４】
また、上記第１〜第３実施形態では、シャーシの回動をガイド係合部およびガイド溝によりガイドする例について示したが、本発明はこれに限られない。本発明では、たとえば、ガイド係合部およびガイド溝はなくてもよい。
【符号の説明】
【００７５】
１  ディスクトレイ
２、２０２  シャーシ
３  アーム部材
４、２０４  筐体
１１  カム溝
１２  カム部
２１  ターンテーブル
２２  光ピックアップ
２４  モータ
３２  カム係合部（第１カム係合部）
３３  ガイド係合部（第１ガイド係合部）
４１  ガイド溝  
１００  ブルーレイディスク装置（ディスク装置）
２００、３００  ＤＶＤ装置（ディスク装置）
２３２  カム係合部（第２カム係合部）
２３３  ガイド係合部（第２ガイド係合部）
【図１】
2015141728.tif 000003
【図２】
2015141728.tif 000004
【図３】
2015141728.tif 000005
【図４】
2015141728.tif 000006
【図５】
2015141728.tif 000007
【図６】
2015141728.tif 000008
【図７】
2015141728.tif 000009
【図８】
2015141728.tif 000010
【図９】
2015141728.tif 000011
【図１０】
2015141728.tif 000012
【図１１】
2015141728.tif 000013